(57)【要約】【課題】放送情報記録において視聴者が本編を連続して見ることができ、尚且つ視聴者がＣＭ情報を効率的に活用できるようにすることによって、広告主側が記録された放送情報からもＣＭ効果を期待できる情報記録装置、及び方法。【解決手段】従来の方法では早送り、削除されていたＣＭ部分を本編と区別し、本編部分とＣＭ部分に分けてそれぞれにまとめる。方法として、まず記録された放送情報を再生する前の段階として、放送情報記録からＣＭ部分を検知しチャプター化して区分する。そして、チャプター化終了後にそれらを編集機能により移動することにより、本編とＣＭ部分を分けて再記録する。【選択図】図１
2007259194.tif 000002
【特許請求の範囲】
【請求項１】
映像信号のＣＭ部分を検出するＣＭ検出手段と、前記ＣＭ検出手段の出力により、ＣＭ部分を本編と区別するためにマーキングするマーキング手段と、前記マーキング手段の出力を編集する情報編集手段と、前記情報編集手段の出力を記録する記録手段を備えたことを特徴とする情報記録装置。
【請求項２】
映像信号のＣＭ部分を検出するＣＭ検出ステップと、前記検出された情報を基に、ＣＭ部分と本編を区別するためにマーキングするマーキングステップと、前記マーキングされた情報を編集する編集ステップと、前記編集された情報を記録する記録ステップを有することを特徴とする情報記録方法。
【発明の詳細な説明】
【技術分野】
【０００１】
記録された放送情報を自動編集して再記録し、情報を効率的に視聴可能にする装置、及び方法に関するものである。
【背景技術】
【０００２】
ＶＣＲやＤＶＤレコーダーなどの装置で記録された放送情報を再生する際に、ＣＭ部分を音声形態などの違いから検知して、ＣＭ部分を自動で早送りして再生する技術が既に実用化され製品として存在している。また、下記の特許文献においては、記録された放送情報から、同様にＣＭ部分を検知し、その情報を削除して再記録することによって情報量を効率化する方法は公開されている。
【０００３】
図３は従来技術による記録再生装置におけるＣＭスキップ機能の構成図であって、３０は映像入力手段、３１はＣＭ検知手段、３２は情報記録手段、３３は再生出力手段（早送り機能含）、３４はシステム制御手段、３５はＣＭスキップＯＮ／ＯＦＦスイッチである。図３に示すように、まず、映像入力手段３０を通して、情報記録手段３２にＴＶ番組を保存する。そして再生する際にＣＭスキップＯＮ／ＯＦＦスイッチ３５をＯＮにして、ＣＭ検知手段３１においてＣＭを検知し、システム制御手段３４の元でＣＭ部分のみを再生出力手段３３にて早送り再生していた。また、一度情報記録手段３２に保存されたＴＶ番組をＣＭ検知手段３１にかけ、ＣＭ部分のみをシステム制御手段３４で削除するように指示を出し、情報記録手段３２に再記録していた。
【０００４】
しかし、これらの機能では、放送情報の本編の内容は効率よく視聴できても、生活の情報源の一部であるＣＭを効率よく確認することができない。また、上記の方式では、放送を配信する側の広告効果がなくなるために、放送側がＣＭ検知をできないように工夫して、視聴者が効率よく放送情報を視聴することが困難になりつつある。よって、放送情報記録装置の利用者と放送配信側双方に有益な録画再生方式が必要とされる。
【特許文献１】特開２００５−３０２１２８号公報
【発明の開示】
【発明が解決しようとする課題】
【０００５】
記録した放送情報再生の際に、ＣＭスキップ機能では、視聴者は本編を効率よく見られても、貴重な生活の情報源となるＣＭを効率よく視聴できない。また、広告主側はＣＭスキップ機能による損失を受けることになる。
【課題を解決するための手段】
【０００６】
本発明は、ＣＭを取り除く、またはスキップして再生するのではなく、ＣＭと本編を自動的に分けて記録するという編集方式を最も主要な特徴とする。
【発明の効果】
【０００７】
ＣＭスキップ機能による広告主側の損失が原因でその機能を抑止しようとする動きがあるが、この方式により利用者は重要な生活の情報源であるＣＭを効率よく視聴でき、尚且つ本編を連続して視聴できるため、広告主側の損失を抑える効果が期待でき、ＣＭスキップ機能問題の解決策となると予想される。また、現在は音声形態の違いなどでＣＭ検出をしているが、広告主にこの方式が認められれば、放送側からタグ付のＣＭを送るなど新たなＣＭ検出方法の確立を促すことができ、それによってＣＭ検知と編集の効率を上げ、重複するＣＭを自動検出して削除できる機能や録画されたＣＭ部分の見出し付の一覧表も表示可能とすることも期待できる。
【発明を実施するための最良の形態】
【０００８】
以下、本発明の実施形態について、図面を用いて説明する。
【０００９】
（実施の形態）
本発明においては、従来のように、ＣＭ部分を早送りや取り除くのではなく、ＣＭ部分とＴＶ番組本編とを整理して、記録再生するものであり、以下のような形態が最良とされる。
【００１０】
図１は本発明による記録再生装置におけるＣＭ自動編集機能の一実施形態を示す構成図であって、２１は放送情報入力手段、２２はＣＭ検知手段、２３は情報編集手段（チャプター編集可能なもの）、２４は情報記録手段、２５はシステム制御手段、２６はＣＭ自動編集機能ＯＮ．／ＯＦＦスイッチ、２７は再生出力手段である。本発明の説明としてＴＶ番組録画再生を例としてあげる。図２において、まず、ＴＶ番組を録画するときにＣＭ自動編集機能ＯＮ．／ＯＦＦスイッチ２６をＯＮ状態にしたときの形態を説明する。ＴＶ番組を放送情報入力手段２１において受信し、情報記録手段２４に送られる過程で、ＣＭ検知手段２２においてＣＭ部分を検知し、情報編集手段２３においてＣＭ部分をチャプター化し、本編と区分する。そして、チャプター分けされ記録されたＴＶ番組を再度情報編集手段２３に戻し、システム制御手段２５からの指令の元でチャプターの入れ替え作業を行い、ＣＭ部分と番組部分を分けて整理して、再度情報記録手段２４にて保存する。再生する際はその保存されたＴＶ番組を再生出力手段２７にて出力する。また、既に録画されているＴＶ番組を自動編集する場合は、ＣＭ自動編集機能スイッチ２６をＯＮにし、システム制御手段２５の制御の元で、上記の録画するときと同じ工程で処理を行う。尚このとき放送情報入力手段２１に入る情報は情報記録手段２４からの情報である。
【００１１】
次に図３を用いて、システム制御手段２５が上記の工程をどのように処理しているかについて説明する。ステップ２０１では、自動編集機能の起動を表し、ＣＭ自動編集機能ＯＮ／ＯＦＦスイッチ２６がＯＮであることを確認する。ステップ２０１にて、放送情報入力手段２１にＴＶ番組の放送情報を入力させ、ステップ２０２にてＣＭ検知の処理を行う。入力された情報がＣＭ部分の場合には、ステップ２０３に進み、情報編集手段２３（チャプター編集可能なもの）にてＣＭ部分をチャプター化し、本編と区別する処理を行う。ステップ２０２にて、入力された情報がＣＭ部分でない場合、またはステップ２０３で処理された場合には、ステップ２０４にて情報記録手段２４に保存する処理を行う。ステップ２０５にて、その情報が番組の最終部分かどうかを判別し、まだ番組の途中である場合は、ステップ２０１に戻り、上記の工程を繰り返し、録画すべき番組の最終部分である場合は、ステップ２０６にて情報編集手段２３（チャプター編集可能なもの）でＣＭ部分のチャプターと番組本編部分のチャプターとを入れ替えして整理し、まとめるように制御する。それからステップ２０７にて再度情報記録手段２４で記録をして、ステップ２０８で処理終了とする。
【産業上の利用可能性】
【００１２】
本発明はテレビ放送などのＣＭ効果を期待された放送情報を記録再生する装置に利用することができる。
【図面の簡単な説明】
【００１３】
【図１】本発明の実施の形態１の構成を示すブロック図
【図２】本発明の自動編集処理を示すフローチャート
【図３】従来技術の構成を示すブロック図
【符号の説明】
【００１４】
２１    放送情報入力手段
２２    ＣＭ検知手段
２３    情報編集手段（チャプター編集可能なもの）
２４    情報記録手段
２５    システム制御手段
２６    ＣＭ自動編集機能ＯＮ／ＯＦＦスイッチ
２７    再生出力手段
【図１】
2007259194.tif 000003
【図２】
2007259194.tif 000004
【図３】
2007259194.tif 000005